(57)【要約】【課題】  外部からの応力による破損を回避可能な液晶表示装置及びその液晶表示装置を提供する。【解決手段】  ＣＯＧ（Ｃｈｉｐ  Ｏｎ  Ｇｌａｓｓ）方式を用いてＬＣＤドライバＩＣ（１１）をガラス基板（５）に実装して構成される液晶表示装置であり、絞り加工（１７）を施した金属性の遮光テープ（１５）を両面テープ（１６）を介してＬＣＤドライバＩＣ（１１）が実装されたガラス基板（５）の反対面に実装する。【選択図】  図２
2006171530.tif 000002
【特許請求の範囲】
【請求項１】
液晶を介して貼り合わされた一対のガラス基板を有して構成される液晶表示装置であって、
前記ガラス基板の一方のガラス基板の片面側に、前記液晶表示装置を駆動制御する駆動用ＩＣを実装し、前記一方のガラス基板の他面側に、外部光を遮光する金属性の遮光板が実装されてなることを特徴とする液晶表示装置。
【請求項２】
前記遮光板は、前記遮光板の剛性を向上させるための絞り加工が施されてなることを特徴とする請求項１記載の液晶表示装置。
【請求項３】
前記遮光板は、前記駆動用ＩＣが実装された前記一方のガラス基板の反対面に接着層を介して実装されてなることを特徴とする請求項１または２記載の液晶表示装置。
【請求項４】
前記絞り加工は、前記駆動用ＩＣの形状に応じて施されてなることを特徴とする請求項２記載の液晶表示装置。
【請求項５】
前記駆動用ＩＣは、ＣＯＧ方式により前記ガラス基板の片面側に接着層を介して実装されてなることを特徴とする請求項１記載の液晶表示装置。
【請求項６】
請求項１から５の何れか１項に記載の液晶表示装置を搭載したことを特徴とする移動体通信機器。
【発明の詳細な説明】
【技術分野】
【０００１】
本発明は、携帯電話機やＰＤＡ等の携帯に便利な移動体通信機器に関し、特に、移動体通信機器に搭載される液晶表示装置に関するものである。
【背景技術】
【０００２】
近年、携帯電話機やＰＤＡ等の移動体通信機器に対する需要が急増し、中でも公衆通信用の携帯電話機が通信サービスの充実と通信料金の低下から個人や企業に広く普及している。
【０００３】
近年の移動体通信機器は、音声の送受信だけではなく、インターネットや電子メールも利用できることから、移動体通信機器に搭載されるＬＣＤに表示する文字数を増加させるために、ＬＣＤの面積を拡大させて移動体通信機器を構築している。また、移動体通信機器は、軽薄短小化の一途を辿っているため、移動体通信機器自体の大きさに対するＬＣＤの占める面積の割合が大きくなってきている。まず、図１を参照しながら従来の移動体通信機器に搭載されるＬＣＤモジュールの構成について説明する。
なお、図１は、従来のＬＣＤモジュール（１）の構成を示す図であり、ＬＣＤモジュール（１）の側面図を示す図である。
【０００４】
移動体通信機器に搭載される従来のＬＣＤモジュール（１）は、図１に示すように、表偏光板（３）と、表ガラス（４）と、裏ガラス（５）と、裏偏光板（６）と、遮光テープ（１４）と、ＬＣＤドライバＩＣ（１１）と、ＬＣＤドライバ接続用ＡＣＦ樹脂（１０）と、ＦＰＣ（Ｆｌｅｘｉｂｌｅ  Ｐｒｉｎｔｅｄ  Ｃｉｒｃｕｉｔ）（１３）と、ＦＰＣ接続用ＡＣＦ樹脂（１２）と、を有して構成される。
【０００５】
なお、ＬＣＤ（２）は、表偏光板（３）、表ガラス（４）、裏ガラス（５）、裏偏光板（６）、から構成され、表ガラス（４）と、裏ガラス（５）と、の２枚のガラス板（４、５）の間に液晶材料を封入し、２枚のガラス板（４、５）を組み合わせたガラス板（４、５）の表裏面に偏光板（３、６）を貼り付けて構成されることになる。
【０００６】
また、２枚のガラス板（４、５）を組み合わせた内側面には、透明電極（ＩＴＯ）が形成される。
【０００７】
なお、ＬＣＤ（２）は、ＬＣＤの駆動及び表示を制御するＬＣＤドライバＩＣ（１１）と接続される。ＬＣＤ（２）と、ＬＣＤドライバＩＣ（１１）と、の接続方法には、ＴＡＢ（Ｔａｐｅ  Ａｕｔｏ  Ｂｏｎｄｉｎｇ）方式、ＣＯＦ（Ｃｈｉｐ  Ｏｎ  Ｆｉｌｍ）方式、ＣＯＧ（Ｃｈｉｐ  Ｏｎ  Ｇｌａｓｓ）方式などが適用される。特に、携帯電話機は、ＬＣＤ（２）の薄型化、及び、ＬＣＤドライバＩＣ（１１）の実装面積が少ないことから、ＣＯＧ方式が適用されている。
【０００８】
ＴＡＢ方式、ＣＯＦ方式、ＣＯＧ方式等を用いて、ＬＣＤドライバＩＣ（１１）をＬＣＤ（２）に実装する電極部分は、透明電極（ＩＴＯ）を露出させる必要があるため、裏ガラス（５）のみからなる１枚のガラス板で構成されている。
【０００９】
ＬＣＤ（２）と携帯電話機とを電気的に接続するために、ＴＡＢ方式、ＣＯＦ方式を用いる場合には、ＬＣＤ（２）には、携帯電話機内の基板と接続するための電極が設けられることになる。
【００１０】
また、ＬＣＤ（２）と携帯電話機とを電気的に接続するために、ＣＯＧ方式を用いる場合には、ＦＰＣ（１３）がＬＣＤ（２）の透明電極の露出部分にＦＰＣ接続用ＡＣＦ樹脂（１２）を介して接続されることになる。なお、ＦＰＣ（１３）には携帯電話機内の基板と接続するための電極が設けられている。なお、ＦＰＣ（１３）としてＣＯＦ（Ｃｈｉｐ  Ｏｎ  ＦＰＣ）を用いることも可能である。
【００１１】
また、ＬＣＤ（２）は、規定された表示が保証される有効表示エリアと、有効表示エリア内の実際に表示が点灯されるアクティブエリアと、ＴＦＴ及びＴＦＤ方式に特有のブラックマスクエリアと、２枚のガラス板（４、５）を封止するシールエリアと、ＬＣＤドライバＩＣ（１１）と接続する圧着エリアと、で構成され、アクティブエリアを除くエリアの寸法は、移動体通信機器において、ＬＣＤ（２）の表示ができるだけ大きく見えるように狭く設計されることになる。
【００１２】
なお、図１に示す従来のＬＣＤモジュール（１）は、移動体通信機器の軽薄短小化により十分な機器の剛性を得ることが困難となったため、落下衝撃や曲げ捻り等の機械的ストレスが移動体通信機器自体に印加された場合、移動体通信機器内部のＬＣＤ（２）に応力が印加されることになり、特に、ＣＯＧ方式によりＬＣＤドライバＩＣ（１１）がＬＣＤドライバ接続用ＡＣＦ樹脂（１０）を介して接続された裏ガラス（５）の部分に対し、曲げ応力が集中することになる。
【００１３】
このとき、裏ガラス（５）の曲げ変位耐力よりもＬＣＤドライバＩＣ（１１）の曲げ変位耐力が少ないため（つまり、裏ガラス（５）よりもＬＣＤドライバＩＣ（１１）のほうが固く撓みにくいため）、裏ガラス（５）自体が割れることはないが、ＬＣＤドライバＩＣ（１１）に折れや、クラックが発生し、ＬＣＤ（２）に情報が表示されなくなる虞がある。
【００１４】
なお、本発明より先に出願された技術文献として、外部光（２０）を金属カバー（３５）により遮光する構造に加えて、ガラス基板（１）のＩＣチップ（８）を有する駆動回路部が形成された部分の裏側の部分に、アルミ箔の裏面に接着剤が施された遮光ラベル（８０）が貼付され、該貼付された遮光ラベル（８０）により、裏面側からの外部光（２０）を遮光し、ＩＣチップ（８）に光を到達しないようにしたものがある（例えば、特許文献１参照）。
【００１５】
また、駆動用ＩＣチップ（５）を直接実装した基板（２）の引き出し端子部およびＩＣ実装部に遮光性を有するチューブ状の熱収縮フィルム（８）を挿着し、これを加熱処理して前記引き出し端子部およびＩＣ実装部に密着させ、ＣＯＧ方式の液晶表示素子の駆動用ＩＣの遮光、端子部の保護、接続部の補強を簡素化した工程で行うものがある（例えば、特許文献２参照）。
【特許文献１】実開昭６３−８５６３号公報
【特許文献２】特開平１１−２４６０５号公報
【発明の開示】
【発明が解決しようとする課題】
【００１６】
なお、上記特許文献１は、外部光の遮光を目的としたものであり、液晶表示装置の保護を目的としたものではない。また、上記特許文献２は、液晶表示素子の駆動用ＩＣの遮光、端子部の保護、接続部の補強を簡素化した工程で行うものであり、図１に示す従来の液晶表示装置の構成のものである。
【００１７】
本発明は、上記事情に鑑みてなされたものであり、外部からの応力による破損を回避することが可能な液晶表示装置及びその液晶表示装置を搭載した移動体通信機器を提供することを目的とするものである。
【課題を解決するための手段】
【００１８】
かかる目的を達成するために、本発明は以下の特徴を有することとする。
【００１９】
本発明にかかる液晶表示装置は、液晶を介して貼り合わされた一対のガラス基板を有して構成される液晶表示装置であって、ガラス基板の一方のガラス基板の片面側に、液晶表示装置を駆動制御する駆動用ＩＣを実装し、一方のガラス基板の他面側に、外部光を遮光する金属性の遮光板が実装されてなることを特徴とするものである。
【００２０】
また、本発明にかかる液晶表示装置において、遮光板は、遮光板の剛性を向上させるための絞り加工が施されてなることを特徴とするものである。
【００２１】
また、本発明にかかる液晶表示装置において、遮光板は、駆動用ＩＣが実装された一方のガラス基板の反対面に接着層を介して実装されてなることを特徴とするものである。
【００２２】
また、本発明にかかる液晶表示装置において、絞り加工は、駆動用ＩＣの形状に応じて施されてなることを特徴とするものである。
【００２３】
また、本発明にかかる液晶表示装置において、駆動用ＩＣは、ＣＯＧ方式によりガラス基板の片面側に接着層を介して実装されてなることを特徴とするものである。
【００２４】
また、本発明にかかる移動体通信機器は、上記記載の液晶表示装置を搭載したことを特徴とするものである。
【発明の効果】
【００２５】
本発明にかかる液晶表示装置及び移動体通信機器は、液晶を介して貼り合わされた一対のガラス基板を有して構成される液晶表示装置が、ガラス基板の一方のガラス基板の片面側に、液晶表示装置を駆動制御する駆動用ＩＣを実装し、一方のガラス基板の他面側に、外部光を遮光する金属性の遮光板が実装されてなることで、外部からの応力による液晶表示装置の破損を回避することが可能となる。
【発明を実施するための最良の形態】
【００２６】
まず、図２を参照しながら、本実施形態における液晶表示装置について説明する。
本実施形態における液晶表示装置は、ＣＯＧ（Ｃｈｉｐ  Ｏｎ  Ｇｌａｓｓ）方式を用いてＬＣＤドライバＩＣ（１１）をガラス基板（５）に実装して構成される液晶表示装置であって、絞り加工部（１７）を施した金属性の遮光テープ（１５）を両面テープ（１６）を介してＬＣＤドライバＩＣ（１１）が実装されたガラス基板（５）の反対面に実装することを特徴とするものである。
【００２７】
この液晶表示装置を搭載した移動体通信機器は、落下衝撃や曲げ捻り等の機械的応力が印加されてもＬＣＤドライバＩＣ（１１）が実装されたガラス基板（５）の撓みを回避することが可能となり、ＬＣＤドライバＩＣ（１１）の破損やクラックを防止することになる。以下、添付図面を参照しながら、本実施形態における液晶表示装置について詳細に説明する。
【００２８】
まず、図２を参照しながら、本実施形態における液晶表示装置の構成について説明する。なお、図２は、本実施形態におけるＬＣＤモジュール（１）の構成を示す図であり、（ａ）は、ＬＣＤモジュール（１）の正面図を示し、（ｂ）は、ＬＣＤモジュール（１）の側面図を示している。
【００２９】
本実施形態におけるＬＣＤモジュール（１）は、図２に示すように、ＬＣＤ（２）、表偏光板（３）、表ガラス（４）、裏ガラス（５）、裏偏光板（６）、アクティブエリア（７）、ＢＭエリア（８）、シールエリア（９）、ＬＣＤドライバＩＣ接続用ＡＣＦ樹脂（１０）、ＬＣＤドライバＩＣ（１１）、ＦＰＣ接続用ＡＣＦ樹脂（１２）、ＦＰＣ（１３）、金属性遮光テープ（１５）、金属性遮光テープ固定用の両面テープ（１６）で構成される。なお、ＦＰＣ（１３）としてＣＯＦ（Ｃｈｉｐ  Ｏｎ  ＦＰＣ）を用いることも可能である。
【００３０】
なお、裏ガラス（５）とＬＣＤドライバＩＣ（１１）とは、異方性導電膜のＬＣＤドライバＩＣ接続用ＡＣＦ樹脂（１０）で熱加圧接着して電気的・物理的に接続することになる。
【００３１】
また、ＬＣＤ（２）とＦＰＣ（１３）とは、異方性導電膜のＦＰＣ接続用ＡＣＦ樹脂（１２）で熱加圧接着して電気的・物理的に接続することになる。
【００３２】
また、金属性遮光テープ（１５）は、両面テープ（１６）でＬＣＤドライバＩＣ（１１）が熱加圧接着された裏ガラス（５）の反対側の面に貼り付けられることになる。
【００３３】
なお、ＬＣＤドライバＩＣ（１１）は、表ガラス（４）に熱加圧圧着して電気的・物理的に接続するように構築することも可能である。
【００３４】
ＬＣＤ（２）は、表偏光板（３）、表ガラス（４）、裏ガラス（５）、裏偏光板（６）、アクティブエリア（７）、ＢＭエリア（８）、シールエリア（９）から構成される。なお、アクティブエリア（７）は、ＬＣＤ（２）としての有効表示エリアを示す。
【００３５】
従来のＬＣＤモジュール（１）は、図１に示すように、遮光テープ（１４）は、ＬＣＤドライバＩＣ（１１）の光による誤動作を防止することが主な目的のため、コストと、貼り付け作業性と、を考慮し、両面テープが貼りつけられた黒色の薄いＰＥＴ素材が用いられていた。
【００３６】
これに対し、本実施形態におけるＬＣＤモジュール（１）は、図２に示すように、金属性遮光テープ（１５）は、遮光性に加えて、移動体通信機器に対する落下衝撃や曲げ捻り等の機械的応力によるＬＣＤ（２）への応力が緩和されることになる。特に、ＣＯＧ方式によりＬＣＤドライバＩＣ（１１）が実装されるガラス板（５）が撓んだ場合でもＬＣＤドライバＩＣ（１１）の破損を防止するために、遮光テープ（１５）の材質を金属性とし、更に、図３に示すように、金属性の剛性を向上させるために絞り加工部（１７）を施すこととする。
【００３７】
従来のＬＣＤモジュール（１）は、図１に示すように遮光テープ（１４）は、両面テープ付の黒色のＰＥＴ素材等の薄く柔らかい素材が用いられていたために、移動体通信機器に落下衝撃や曲げ捻り等の外力が印加された際に、ＬＣＤドライバＩＣ（１１）を実装したガラス基板（５）の部分に対し、応力が集中し、ガラス基板（５）が大きく撓むことになる。このため、ガラス基板（５）よりも撓み許容量の少ないシリコン材料からなるＬＣＤドライバＩＣ（１１）は、クラックが発生したり、折れ損が発生したりしてしまい、ＬＣＤ（２）に情報が表示されない場合があった。つまり、ガラス基板（５）自体は割れないが、ＬＣＤドライバＩＣ（１１）が破損する場合があった。
【００３８】
この従来のＬＣＤモジュール（１）の問題を解消するために、ガラス基板（５）の厚みをあげてガラス基板（５）の剛性を向上させることも有効な方法の１つではあるが、軽薄短小化を図る移動体通信機器に対しては、ガラス基板（５）の厚みをあげる方法を適用することは相反することになる。
【００３９】
このため、本実施形態におけるＬＣＤモジュール（１）は、図２、図３に示すように、遮光テープ（１５）の材料を金属性の薄板とし、また、金属板の曲げ剛性を向上させるために絞り加工を施した絞り加工部（１７）を有する金属性遮光テープ（１５）を、両面テープ（１６）を用いてガラス基板（５）に実装することで、ガラス基板（５）の曲げ剛性を向上させることが可能となる。
【００４０】
従って、本実施形態におけるＬＣＤモジュール（１）を実装した移動体通信機器は、ＣＯＧ方式を用いてＬＣＤドライバＩＣ（１１）を実装したガラス基板（５）に対して応力が印加された場合でも、金属性遮光テープ（１５）によりガラス基板（５）の撓みが規制されることになり、ガラス基板（５）に実装されているＬＣＤドライバＩＣ（１１）に対する撓み応力が緩和され、ＬＣＤドライバＩＣ（１１）のクラックの発生や折れ損の発生を防止することが可能となる。
【００４１】
なお、金属性遮光テープ（１５）の素材としては、ステンレス、鉄、アルミニウムなどが適用可能であり、ガラス基板（５）に傷を付けないよう端面のバリや反りが無いものがより好ましい。
【００４２】
また、金属性遮光テープ（１５）の絞り加工部（１７）の形状は、ＬＣＤドライバＩＣ（１１）の形状、ＬＣＤドライバＩＣ（１１）の実装個数、移動体通信機器自体の剛性、移動体通信機器の落下試験や強度試験の結果を基に、自由な形状にて構成することは可能である。
【００４３】
また、金属性遮光テープ（１５）の厚みは、絞り加工部（１７）と、固定用の両面テープ（１６）と、を含めても表偏光板（３）、もしくは、裏偏光板（６）の厚みを超えないように設計する必要がある。これは、表偏光板（３）、もしくは、裏偏光板（６）と、移動体通信機器本体と、を面接触または接着させてＬＣＤモジュール（１）を固定するためである。なお、両面テープ（１６）は接着剤を用いることも可能である。
【００４４】
このように、本実施形態における液晶表示装置は、絞り加工部（１７）を構築した金属性遮光テープ（１５）をガラス基板（５）に両面テープ（１６）を用いて実装することで、ガラス基板（５）の剛性を向上させ、ガラス基板（５）の撓み量を削減し、ＬＣＤドライバＩＣ（１１）に対する曲げ応力を低減させることが可能となる。これにより、液晶表示装置を実装した移動体通信機器に落下衝撃や曲げ捻り等の機械的ストレスが印可された場合でも、ＬＣＤドライバＩＣ（１１）の割れや、クラックの発生を防止することが可能となる。
【００４５】
（第２の実施形態）
次に、第２の実施形態について説明する。
第２の実施形態における液晶表示装置は、金属性遮光テープ（１５）に設けられる絞り加工部（１７）の形状を、ＬＣＤドライバＩＣ（１１）に応じた形状にて施すことを特徴とするものである。このように、第２の実施形態における液晶表示装置は、ＬＣＤドライバＩＣ（１１）の形状に合わせた絞り加工部（１７）を金属性遮光テープ（１５）に設けることで、液晶表示装置に機械的ストレスが印可された場合でも、ＬＣＤドライバＩＣ（１１）の割れや、クラックの発生を防止することが可能となる。以下、図４、図５を参照しながら、第２の実施形態における液晶表示装置について説明する。なお、図４は、２つのＬＣＤドライバＩＣ（１１）がＣＯＧ方式によりガラス板（５）に実装されたＬＣＤモジュール（１）の上面図（ａ）及び側面図（ｂ）である。また、図５は、図４のＬＣＤモジュール（１）に適用可能な金属性遮光テープ（１５）の斜視図である。
【００４６】
第２の実施形態における液晶表示装置は、図４、図５に示すように、１つ１つのＬＣＤドライバＩＣ（１１）の形状に合わせて金属性遮光テープ（１５）の絞り形状を最適化して施している。具体的には、細長い形状のＬＣＤドライバＩＣ（１１）に対しては、直線形状の絞り加工を施した絞り加工部（１７）を２個設け、正方形に近い形状のＬＣＤドライバＩＣ（１１）に対しては、クロス形状の絞り加工を施した絞り加工部（１７）を設けた構成としている。
【００４７】
このように、第２の実施形態における液晶表示装置は、ＬＣＤドライバＩＣ（１１）の形状に応じて絞り加工部（１７）を施すことで、ＬＣＤドライバＩＣ（１１）の割れや、クラックの発生の防止を更に向上させることが可能となる。
【００４８】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、本実施形態における液晶表示装置は、ＣＯＧ方式を採用していれば液晶表示装置の方式（ＳＴＮ、ＴＦＴ等）は特に限定するものではなく、有機ＥＬ表示装置などにも適用することは可能である。
【産業上の利用可能性】
【００４９】
本発明にかかる液晶表示装置は、携帯電話機やＰＤＡ等の携帯型の移動体通信機器に適用可能である。
【図面の簡単な説明】
【００５０】
【図１】従来の液晶表示装置の構成を示す図である。
【図２】本実施形態における液晶表示装置の構成を示す図であり、（ａ）は、液晶表示装置の正面図を示し、（ｂ）は、液晶表示装置の側面図を示す図である。
【図３】図２に示す金属性遮光テープ（１５）に施される絞り加工部（１７）の形状を示す図である。
【図４】第２の実施形態における液晶表示装置の構成を示す図であり、（ａ）は、液晶表示装置の正面図を示し、（ｂ）は、液晶表示装置の側面図を示す図である。
【図５】図４に示す金属性遮光テープ（１５）に施される絞り加工部（１７）の構成を示す図である。
【符号の説明】
【００５１】
１    ＬＣＤモジュール
２    ＬＣＤ
３    表偏光板
４    表ガラス
５    裏ガラス
６    裏偏光板
７    アクティブエリア
８    ＢＭエリア
９    シールエリア
１０    ＬＣＤドライバ接続用ＡＣＦ樹脂
１１    ＬＣＤドライバＩＣ
１２    ＦＰＣ接続用ＡＣＦ樹脂
１３    ＦＰＣ
１４    遮光テープ
１５    金属性遮光テープ
１６    両面テープ
１７    絞り加工部
【図１】
2006171530.tif 000003
【図２】
2006171530.tif 000004
【図３】
2006171530.tif 000005
【図４】
2006171530.tif 000006
【図５】
2006171530.tif 000007